(57)【特許請求の範囲】
【請求項１】
壁面に着脱可能な取付ベースと、前記取付ベースに固定された取付フレームと、を備える壁面用取付ラックであって、
前記取付フレームは、
第１の物品を直接的に保持することができる物品保持部と、
前記第１の物品以外の第２の物品を保持する保持部材を着脱自在に支持することができる部材支持部と、を有し、
前記取付フレームは、上下方向に貫通する矩形筒状をなし、
前記部材支持部は、上方部材支持部と下方部材支持部とを含み、
前記保持部材は、第１保持部材と第２保持部材とを含み、
前記上方部材支持部は、前記取付フレームの上面であり、
前記上方部材支持部は、前記取付フレームの上面開口の少なくとも一部を前記第１保持部材で塞ぐように前記第１保持部材を支持することが可能であり、
前記下方部材支持部は、前記取付フレームの互いに対向する２つの内壁のそれぞれに設けられた段部であり、
前記下方部材支持部は、前記取付フレームの内部において前記第２保持部材を前記段部に架け渡すように前記第２保持部材を支持することが可能である、
壁面用取付ラック。
【請求項２】
前記取付ベースは、壁面に取り付けるための着脱面を有し、
前記着脱面の下端縁部には、壁面に向かって突出する突起部が設けられている請求項１に記載の壁面用取付ラック。
【請求項３】
請求項１又は２に記載の壁面用取付ラックと、
前記第１保持部材及び前記第２保持部材と、を備えることを特徴とする壁面用収納ラック。
【請求項４】
前記第１保持部材は、物品が載置される部材である請求項３に記載の壁面用収納ラック。
【請求項５】
前記第２保持部材は、物品が吊り下げられる部材である請求項３又は４に記載の壁面用収納ラック。
【請求項６】
前記取付フレームは、補強リブを有し、
前記補強リブは、前記段部でもある請求項３〜５のいずれかに記載の壁面用収納ラック。
【発明の詳細な説明】
【技術分野】
【０００１】
本発明は、壁面用取付ラック及び壁面用収納ラックに関する。
【背景技術】
【０００２】
レードルやフライ返し、キッチンバサミ等の調理器具を収納するための、壁面に取り付けて使用する収納ラックが種々提案されている。
例えば、特許文献１では、表面側に係合溝が設けられたレール部材と、上記レール部材の裏面側の配設された磁石及び吸盤と、上記レール部材の端部に係合するキャップとを備え、吸盤及び磁石の吸着力により、壁面の所望の位置に取り付けられる壁面取付装置と、上記レール部材の表面側に設けられた係合溝で係止保持される種々のアタッチメントとからなる壁面用収納ラックが提案されている。
【先行技術文献】
【特許文献】
【０００３】
【特許文献１】特開２００６−１３６３６２号公報
【発明の概要】
【発明が解決しようとする課題】
【０００４】
特許文献１に記載された壁面用収納ラックでは、物品を収納するためのアタッチメントが必要であり、アタッチメントを保持するための壁面取付装置自体には物品を収納することはできなかった。
【０００５】
本発明は、このような実状に鑑み、壁面に取り付けることができ、部品を直接的に保持することができるともに、他の物品を収納するための保持部材（アタッチメント）を着脱可能に支持することもできる壁面用取付ラックを提供することを目的とする。
また、上記壁面用取付ラックに、上記他の物品を収納するための保持部材が着脱可能に支持された壁面用収納ラックを提供することも目的とする。
【課題を解決するための手段】
【０００６】
本発明の壁面用取付ラックは、壁面に着脱可能な取付ベースと、上記取付ベースに固定された取付フレームと、を備える壁面用取付ラックであって、
上記取付フレームは、
第１の物品を直接的に保持することができる物品保持部と、
上記第１の物品以外の第２の物品を保持する保持部材を着脱自在に支持することができる部材支持部と、を有することを特徴とする。
【０００７】
本発明の壁面用取付ラックは、壁面に着脱可能な取付ベースを備えているため、壁面に取り付けて使用することができる。
また、上記壁面用取付ラックは、上記取付フレームが有する物品保持部で物品（第１の物品）を直接的に保持することができる。
更に、上記壁面用取付ラックは、上記取付フレームが有する部材支持部で、上記第１の物品以外の物品（第２の物品）を保持することができる保持部材を着脱自在に支持することもできる。そのため、上記保持部材を取付フレームに取り付けることにより、取付フレームに保持される物品以外の物品を保持することができ、このとき、保持部材として、保持される物品に応じた保持部材を適宜選択することができる。
【０００８】
本発明の壁面用取付ラックにおいて、上記取付ベースは、壁面に取り付けるための着脱面を有し、上記着脱面の下端縁部には、壁面に向かって突出する突起部が設けられていることが好ましい。
この場合、壁面用取付ラックの下方への耐荷重を大きくすることができる。この理由については後述する。
【０００９】
本発明の壁面用収納ラックは、上記壁面用取付ラックと、
上記部材支持部に着脱可能に支持される上記保持部材と、を備えることを特徴とする。
本発明の壁面用収納ラックによれば、保持部材によって上記壁面用取付ラックの取付フレームに保持される第１の物品以外の第２の物品を保持することができる。
また、本発明の壁面用収納ラックでは、保持される物品に応じて、様々な形状の保持部材を適宜選択することができ、その結果、種々の物品を適切に収納することができる。
【００１０】
本発明の壁面用収納ラックは、上記保持部材を複数個備えることが好ましい。
この場合、保持される物品毎に、より適切な保持部材を選択することができ、種々の物品をより適切に収納することができる。
また、保持できる物品の数を増やすことができるため、省スペースでより多くの物品を収納することができる。
【００１１】
本発明の壁面用収納ラックにおいて、上記保持部材は、物品が載置される部材であることが好ましい。この場合、載置して保持されるのに適した物品を確実に収納することができる。
本発明の壁面用収納ラックにおいて、上記保持部材は、物品が吊り下げられる部材であることも好ましい。この場合、吊り下げて保持するのに適した物品を確実に収納することができる。
【００１２】
本発明の壁面用収納ラックは、上記保持部材として、少なくとも１つの物品が載置される部材と、少なくとも１つの物品が吊り下げられる部材とを備えることが好ましい。
この場合、載置して保持するのに適した物品と吊り下げて保持するのに適した物品とを１つの壁面用収納ラックで確実に収納することができる。
また、載置して保持するのに適した物品と吊り下げて保持するのに適した物品とを同時に収納することができるため、省スペースで効率良く物品を収納することができる。
【００１３】
本発明の壁面用収納ラックにおいて、上記取付フレームは、補強リブを有し、上記補強リブは、上記部材支持部の一部でもあることが好ましい。
この場合、補強リブによって、取付フレームの強度を高めることができ、その結果、取付フレームのたわみを抑制することができる。
また、上記補強リブが上記部材支持部の一部でもある。そのため、上記取付フレームには、上記保持部材を支持するための機能と、取付フレームを補強するための機能とが効率良く付与される。
【発明の効果】
【００１４】
本発明によれば、物品の種類に応じて、各物品を適切に収納することができる。
【図面の簡単な説明】
【００１５】
【図１】本発明の第１実施形態に係る壁面用取付ラックの斜視図である。
【図２】図１に示した壁面用取付ラックの平面図である。
【図３】図１に示した壁面用取付ラックの底面図である。
【図４】図１に示した壁面用取付ラックの背面図である。
【図５】図４に示した壁面用取付ラックのＡ−Ａ′線断面図である。
【図６】図４に示した壁面用取付ラックのＢ−Ｂ′線断面図である。
【図７】（ａ）、（ｂ）は、使用時に壁面用取付ラック（取付フレーム）に掛かる力を説明するための側面図である。
【図８】（ａ）は、本発明の第１実施形態に係る壁面用収納ラックの分解斜視図であり、（ｂ）は（ａ）に示した壁面用収納ラックの使用状態を示す斜視図である。
【図９】図８（ｂ）に示した壁面用収納ラック部分のＣ−Ｃ′線断面図である。
【図１０】（ａ）は、本発明の第２実施形態に係る壁面用収納ラックの分解斜視図であり、（ｂ）は（ａ）に示した壁面用収納ラックの使用状態を示す斜視図である。
【図１１】本発明の第３実施形態に係る壁面用取付ラックの斜視図である。
【図１２】図１１に示した壁面用取付ラックの背面図である。
【図１３】図１２に示した壁面用取付ラックのＤ−Ｄ′線断面図である。
【図１４】（ａ）は、本発明の第３実施形態に係る壁面用収納ラックの分解斜視図であり、（ｂ）は（ａ）に示した壁面用収納ラックの使用状態を示す斜視図である。
【発明を実施するための形態】
【００１６】
以下、図面を参照しながら本発明の実施形態について説明する。
（第１実施形態）
［壁面用取付ラック］
図１は、本発明の第１実施形態に係る壁面用取付ラックの斜視図である。図２は、図１に示した壁面用取付ラックの平面図である。図３は、図１に示した壁面用取付ラックの底面図である。図４は、図１に示した壁面用取付ラックの背面図である。図５は、図４に示した壁面用取付ラックのＡ−Ａ′線断面図である。図６は、図４に示した壁面用取付ラックのＢ−Ｂ′線断面図である。
【００１７】
図１〜６に示すように、壁面用取付ラック１は、取付ベース１０と取付ベース１０に固定された取付フレーム２０とからなる。
取付ベース１０は、取付ベース１０を壁面に着脱するための着脱面１１を有し、着脱面１１には、壁面（図示せず）に取付ベース１０を着脱するための吸盤１２及び磁石１３が取り付けられている。
【００１８】
取付フレーム２０は、４つの枠部を備えた矩形枠状を有し、１つの枠部２１が取付ベース１０にネジ１５で固定されている。
また、取付フレーム２０を構成する枠部のうち、取付ベース１０に固定される枠部２１以外の枠部２２Ａ〜２２Ｃは、物品を保持することができ、例えば、タオル等を枠部２２Ａに掛けて保持することができる。従って、取付フレーム２０では、枠部２２Ａ〜２２Ｃが、タオル等（第１の物品）を保持することができる物品保持部Ａ（図１、５参照）となる。
【００１９】
取付ベース１０の着脱面１１の下端縁部には、壁面に向かって（図５、６において、右側に向かって）突出する突起部１４が形成されており、このような突起部１４を設けることにより、使用時に取付フレーム２０の上面が壁側から前端側に向かって上方に少し傾斜するようになる。
そのため、壁面用取付ラック１の使用時に、壁面用取付ラック１の下方への耐荷重を大きくすることができる。
図７（ａ）、（ｂ）は、使用時に壁面用取付ラック（取付フレーム）に掛かる力を説明するための側面図である。
【００２０】
図７（ａ）に示すように、着脱面１１に突起部１４が形成された壁面用取付ラック１を壁面Ｗに取り付けた場合、取付フレーム２０の上面２０ａが壁側から前端側に向かって上方に少し傾斜する。
このとき、取付フレーム２０の上面２０ａの先端部にかかる力をＦ、取付フレーム２０の上面の壁側から前端側までの距離をＬ、取付フレーム２０の上面２０ａの傾斜角度をθとすると、壁面用取付ラックの作用点Ｐ（着脱面の下端）にかかるモーメントＭは、下記式（１）：
Ｍ＝Ｆ×Ｌｃｏｓθ・・・（１）
で表すことができる。
【００２１】
これに対して、図７（ｂ）に示すように、着脱面１１′に突起部の無い壁面用取付ラック１を壁面Ｗに取り付け、取付フレーム２０′の上面２０′ａを水平とした場合、取付フレーム２０′の上面２０′ａの先端部にかかる力をＦ、取付フレーム２０′の上面２０′ａの壁側から前端側までの距離をＬとすると、壁面用取付ラックの作用点Ｐ′（着脱面の下端）にかかるモーメントＭ′は、下記式（２）：
Ｍ′＝Ｆ×Ｌ・・・（２）
で表すことができる。
ここで、両者の作用点にかかるモーメントを比較すると、Ｌｃｏｓθ＜Ｌであるため、Ｍ＜Ｍ′となる。即ち、図７（ａ）に示す取付ベース１０のように、着脱面１１の下端縁部に突起部１４を設け、取付フレーム２０の前端側を高くすることで、上記作用点にかかるモーメントを小さくすることができる。
そのため、上述した通り、上記突起部を設けることにより、使用時における壁面用取付ラックの下方への耐荷重を大きくすることができる。
【００２２】
取付フレーム２０の枠部２１の内壁には、後述する保持部材を支持するための掛止部２３が枠部２１の長手方向に沿って設けられている。
また、取付フレーム２０の枠部２１に対向する枠部２２Ａの内壁には、枠部２２Ａの長手方向に沿って補強リブ２４が設けられている。補強リブ２４を設けることにより、使用時における取付フレーム２０のたわみを抑制することができる。更に、補強リブ２４は、保持部材を支持するための掛止部としても機能する。従って、取付フレーム２０では、補強リブによって、取付フレーム２０を補強する機能と、保持部材を支持する機能とが効率よく付与されていることとなる。
【００２３】
このような壁面用取付ラック１では、上述した通り、取付フレーム２０の枠部２２Ａ〜２２Ｃ（物品保持部Ａ）でタオル等を保持することができる。
更に、壁面用取付ラック１は、取付フレーム２０が有する部材支持部で保持部材を支持することにより、取付フレーム２０で保持する第１の部品（タオル等）以外の第２の物品を保持部材で保持することができる。
【００２４】
［保持部材を備えた壁面用収納ラック］
図８（ａ）は、本発明の第１実施形態に係る壁面用収納ラックの分解斜視図であり、（ｂ）は（ａ）に示した壁面用収納ラックの使用状態を示す斜視図である。図９は、図８（ｂ）に示した壁面用収納ラック部分（保持された物品を除く）のＣ−Ｃ′線断面図である。
壁面用収納ラック１００では、図８（ａ）、（ｂ）に示すように、２種類の保持部材１１０、１２０が壁面用取付ラック１で支持されている。
保持部材１１０は、平面視形状がＨ字状のベース部材１１１と、物品を吊り下げるための複数のフック１１２とからなる。ベース部材１１１は、取付フレーム２０の掛止部２３と補強リブ２４とに架け渡す２本の平行な架設部材１１１Ａ、１１１Ｂと、架設部材１１１Ａ、１１１Ｂ間を連結し、フック１１２が取り付けられる棒状の支持部材１１１Ｃとからなり、フック１１２は、支持部材１１１Ｃに固定されている。保持部材１１０は、壁面用取付ラック１の取付フレーム２０に設けられた掛止部２３及び補強リブ２４により壁面用取付ラック１に支持されている。
保持部材１２０は、板状の部材であり、その上面に物品を載置することができる。保持部材１２０は、取付フレーム２０の上方開口に蓋をするように取り付けられ、取付フレーム２０の枠部の上面で支持されている。
【００２５】
従って、壁面用収納ラック１００の場合、取付フレームは２つの部材支持部Ｂ（上方部材支持部ＢＵ及び下方部材支持部ＢＬ）を有している。
即ち、取付フレーム２０に設けられた掛止部２３及び補強リブ２４が保持部材１１０を着脱自在に支持する下方部材支持部ＢＬ（図５参照）となり、取付フレーム２０の枠部２１、２２Ａ〜２２Ｃの上面が保持部材１２０を着脱自在に支持する上方部材支持部ＢＵとなる。
【００２６】
このような壁面用収納ラック１００では、図８（ｂ）に示すように、保持部材１１０のフック１１２にレードル１１３やフライ返し１１４等を引っかけたり、保持部材１２０の上面に調味料１２１等を載置したりすることができる。
従って、壁面用収納ラック１００では、種々の物品を各物品に応じて、適切に収納することができる。また、２個の保持部材１１０、１２０を備えているため、省スペースで効率良く物品を収納することができる。
【００２７】
壁面用取付ラック１及び壁面用収納ラック１００は、既に説明した通り、壁面に取り付けて使用する。
このとき、壁面は、吸盤によって壁面用取付ラック１が取り付けられる面や、磁石によって壁面用取付ラック１が取り付けられる面であればよく、吸盤及び磁石の両方によって壁面用取付ラック１が取り付けられる面が好ましい。
上記吸盤及び磁石の両方によって壁面用取付ラック１が取り付けられる壁面の具体例としては、例えば、琺瑯パネルなどで構成されたキッチンや洗面所の壁面などが例示できる。
【００２８】
（第２実施形態）
本実施形態の壁面用収納ラックは、保持部材が異なる以外は第１実施形態に壁面用収納ラックと同様である。
図１０（ａ）は、本発明の第２実施形態に係る壁面用収納ラックの分解斜視図であり、（ｂ）は（ａ）に示した壁面用収納ラックの使用状態を示す斜視図である。
図１０（ａ）、（ｂ）に示した壁面用収納ラック２００では、保持部材２１０が壁面用取付ラック１で支持されている。
保持部材２１０は、内部が複数の領域に区切られた箱状の小物入れである。このような保持部材２１０を備えた壁面用収納ラック２００では、歯ブラシ２１１や歯磨き粉２１２等を保持部材２１０に収納（底面に載置）することができる。
本実施形態では、取付フレーム２０の枠部の上面が部材支持部Ｂ（図１０（ｂ）参照）となる。
【００２９】
（第３実施形態）
本実施形態の壁面用収納ラックは、壁面用取付ラックと、壁面用取付ラックの上面の一部に設けられた保持部材とからなる。
図１１は、本発明の第３実施形態に係る壁面用取付ラックの斜視図である。図１２は、図１１に示した壁面用取付ラックの背面図である。図１３は、図１２に示した壁面用取付ラックのＤ−Ｄ′線断面図である。図１４（ａ）は、本発明の第３実施形態に係る壁面用収納ラックの分解斜視図であり、（ｂ）は（ａ）に示した壁面用収納ラックの使用状態を示す斜視図である。
本実施形態の壁面用収納ラック３００は、図１１〜図１４に示すように、壁面用取付ラック２と、壁面用取付ラック２に着脱自在に支持された保持部材３１０とからなる。
【００３０】
壁面用取付ラック２は、長手方向の長さが異なり、吸盤３２及び磁石３３の個数が異なる以外は、第１実施形態の壁面用取付ラック１と同様に構成を備える。
壁面用取付ラック２は、取付ベース３０と取付ベース３０に固定された取付フレーム４０とからなる。
取付ベース３０は、取付ベース３０を壁面に着脱するための着脱面３１を有し、着脱面３１には、取付ベース３０を壁面に着脱するための吸盤３２及び磁石３３が取り付けられている。また、着脱面３１の下端縁部には、壁面に向かって突出する突起部３４が設けられている。
【００３１】
取付フレーム４０は、矩形枠状を有し、１つの枠部４１が取付ベース３０にネジ３５で固定されている。
また、取付フレーム４０の枠部４１の内壁には、保持部材を支持するための掛止部４３が枠部４１の長手方向に沿って設けられており、枠部４１に対向する枠部４２Ａの内壁には、枠部４２Ａの長手方向に沿って補強リブ４４が設けられている。この補強リブ４４は、保持部材を支持するための掛止部としても機能する。
【００３２】
このような壁面用取付ラック２では、第１実施形態の壁面用取付ラック１と同様、取付フレーム４０の枠部４２Ａ〜４２Ｃでタオル等を保持することができる。
更に、壁面用取付ラック２は、取付フレーム４０で保持部材を支持することにより、取付フレーム４０で保持する第１の部品（タオル等）以外の第２の物品を保持することができる。このとき、取付フレーム４０では、第１実施形態に係る取付フレーム２０と同様、枠部４１、４２Ａ〜４２Ｃの上面や、掛止部４３及び補強リブ４４が、取付フレーム４０で支持される保持部材に応じて、部材支持部となる。
【００３３】
保持部材３１０は、内部が複数の領域に区切られた箱状の小物入れであり、第２実施形態の保持部材２１０と同様である。
壁面用収納ラック３００では、保持部材３１０は、壁面用取付ラック２の取付フレーム４０の上面の一部（図中、左側の約半分の領域）に取り付けられている。
従って、壁面用収納ラック３００では、取付フレーム４０をなす枠部の上面の一部（枠部４２Ｂの上面、並びに、枠部４１及び４２Ａの上面の一部）が部材支持部Ｂとなる。
このような壁面用収納ラック３００では、歯ブラシ３１１や歯磨き粉３１２等を保持しつつ、同時に、取付フレーム４０の枠部４２Ａでタオル３１３を保持することができる。なお、タオル３１３が掛けられた枠部４２Ａの一部（図中、右側の約半分の領域）は、壁面用収納ラック３００（壁面用取付ラック２）における物品保持部Ａとなる。
【００３４】
（他の実施形態）
本発明の壁面用収納ラックの実施形態において、壁面用取付ラックと保持部材との組み合わせは、上記第１〜第３実施形態における組み合わせに限定されない。
例えば、第１実施形態の壁面用取付ラック１に対して、保持部材として、物品が吊り下げられる保持部材１１０及び物品が載置される保持部材のうちの一方に保持部材のみが用いられていてもよい。
また、例えば、第１実施形態の壁面用取付ラック１に対して、第１実施形態の保持部材１１０と第２実施形態の保持部材２１０とが併用されていてもよい。
また、例えば、第３実施形態の壁面用取付ラック２に対して、第１実施形態の保持部材１１０や保持部材１２０を用いてよく、このとき、２個の保持部材１１０や２個の保持部材１２０を用いてよい。勿論、壁面用取付ラック２に対して、保持部材１１０と保持部材２１０とを併用してもよい。
更に、第３実施形態では、壁面用取付ラック２の左半分でのみ保持部材を支持しているが、勿論、右半分や全体で保持部材を支持してもよい。
【００３５】
上記保持部材の形状は、上記第１〜第３実施形態の形状に限定されず、物品を保持することができ、壁面用取付ラックに着脱自在に支持される形状であればよい。
【００３６】
上記取付フレームの形状は、上記第１〜第３実施形態のような矩形枠状に限定されず、取付ベースに固定され、上記物品保持部と上記部材支持部とを有する形状であればよい。
具体的には、例えば、矩形枠状の取付フレーム２０において枠部２２Ｂ及び枠部２２Ｃのいずれか一方の枠部が無い形状や、取付フレーム２０において枠部２２Ｂ及び枠部２２Ｃが無く、代わりに枠部２１及び２２Ａのそれぞれの中央部付近に連結部を設け、枠部２１と２２Ａとを上記連結部で連結した形状等が挙げられる。
【００３７】
上記壁面用取付ラックで保持される物品は、タオルに限定されず、上記取付フレームの枠部で保持される物品であればよい。
上記壁面用収納ラックの保持部材で保持される物品は、上述した物品に限定されず、上記保持部材で保持されるものであればよく、上述した物品以外にも、例えば、石鹸、洗剤、髭剃り、化粧品、カップ、鋏、箸、フォーク、スプーン等、種々の物品を例示することができる。
【００３８】
上記壁面用取付ラック及び壁面用収納ラックを構成する各部材の材質は特に限定されず、樹脂、木、金属等から用途に応じて適時選択すればよい。
上記壁面用取付ラックは、上記取付ベースを壁面に取り付けるために吸盤及び磁石を備えているが、必ずしも両方を備えている必要はなく、いずれか一方のみを備えていてもよい。また、上記取付ベースは他の手法で壁面に取り付けられていてもよい。
【符号の説明】
【００３９】
１、２  壁面用取付ラック
１０、３０  取付ベース
１１、３１  着脱面
１２、３２  吸盤
１３、３３  磁石
１４、３４  突起部
１５、３５  ネジ
２０、４０  取付フレーム
２１、２２Ａ〜２２Ｃ、４１、４２Ａ〜４２Ｃ  枠部
２３、４３  掛止部
２４、４４  補強リブ
１００、２００、３００  壁面用収納ラック
１１０、１２０、２１０、３１０  保持部材
１１１  ベース部材
１１２  フック
１１３  レードル
１１４  フライ返し
１２１  調味料
２１１  歯ブラシ
２１２  歯磨き粉
３１１  歯ブラシ
３１２  歯磨き粉
３１３  タオル
Ａ  物品保持部
Ｂ  部材支持部
【図１】
0006624848.tif 000002
【図２】
0006624848.tif 000003
【図３】
0006624848.tif 000004
【図４】
0006624848.tif 000005
【図５】
0006624848.tif 000006
【図６】
0006624848.tif 000007
【図７】
0006624848.tif 000008
【図８】
0006624848.tif 000009
【図９】
0006624848.tif 000010
【図１０】
0006624848.tif 000011
【図１１】
0006624848.tif 000012
【図１２】
0006624848.tif 000013
【図１３】
0006624848.tif 000014
【図１４】
0006624848.tif 000015